(57)【特許請求の範囲】
【請求項１】
原稿から画像データを読み取る画像読取手段と、
前記画像読取手段を用いて予め定められた基準色を有する色基準部材から色基準データを読み取る色基準データ取得手段と、
前記画像読取手段により読み取られる前記画像データを前記色基準データ取得手段により読み取られる前記色基準データに基づいて補正するシェーディング補正回路と、
前記画像読取手段により読み取られる前記画像データについて予め定められた画像処理を実行する一又は複数の画像処理回路と、
前記シェーディング補正回路及び前記画像処理回路のうち前記色基準データ取得手段による前記色基準データの読み取り中に同時に駆動する回路と前記シェーディング補正回路及び前記画像処理回路のうち前記画像読取手段による前記原稿からの前記画像データの読み取り中に同時に駆動する回路との回路数差及び回路種別差のいずれか一方又は両方に応じて、前記シェーディング補正回路による前記画像データの補正量を変更する補正量変更手段と、
を備える画像読取装置。
【請求項２】
前記補正量変更手段が、前記回路数差及び前記回路種別差のいずれか一方又は両方に応じて前記色基準データを変更することにより前記画像データの補正量を変更する請求項１に記載の画像読取装置。
【請求項３】
前記シェーディング補正回路及び前記画像処理回路のうち同時に駆動する回路が前記画像読取手段による前記原稿からの１ライン分の前記画像データの読み取り中に変化し、
前記補正量変更手段が、前記画像読取手段による前記原稿からの１ライン分の前記画像データの読み取り中における前記回路数差及び前記回路種別差のいずれか一方又は両方の変化に応じて前記色基準データを変更可能である請求項２に記載の画像読取装置。
【請求項４】
前記補正量変更手段が、前記回路数差及び前記回路種別差のいずれか一方又は両方に起因する消費電力差が大きくなるほど前記色基準データの変更量を大きくする請求項２又は３に記載の画像読取装置。
【請求項５】
前記画像読取装置で実行される画像読取処理の内容ごとに対応する前記回路数差及び前記回路種別差のいずれか一方又は両方が予め記憶されている記憶手段を更に備え、
前記補正量変更手段が、前記画像読取装置で実行される前記画像読取処理の内容に応じて前記記憶手段から前記回路数差及び前記回路種別差のいずれか一方又は両方を取得する請求項１〜４のいずれかに記載の画像読取装置。
【請求項６】
複数の前記画像処理回路には、前記画像読取手段により読み取られる前記画像データに基づいて前記色基準データを設定する第１画像処理回路と、前記シェーディング補正回路による補正後の前記画像データに予め設定された画像処理を施して出力する一又は複数の第２画像処理回路と、が含まれ、
前記色基準データ取得手段による前記色基準データの読み取り中は前記画像処理回路のうち前記第１画像処理回路が駆動し、前記画像読取手段による前記原稿からの前記画像データの読み取り中は前記シェーディング補正回路及び前記画像処理回路のうち前記第２画像処理回路が駆動する請求項１〜５のいずれかに記載の画像読取装置。
【請求項７】
請求項１〜６のいずれかに記載の画像読取装置と、前記画像読取装置により読み取られた画像データに基づいて画像を形成可能な画像形成部と、を備える画像形成装置。
【発明の詳細な説明】
【技術分野】
【０００１】
本発明は、読み取った画像データに対してシェーディング補正処理を実行可能な画像読取装置及び画像形成装置に関する。
【背景技術】
【０００２】
スキャナーなどの画像読取装置では、光源から照射されて原稿で反射した光を光電変換素子で受光することにより画像データが読み取られる。ここで、光源の発光特性のバラつき又は光電変換素子の受光感度のバラつきなどに起因して画像データにおける主走査方向の画素の濃度にバラつきが生じる場合がある。そのため、画像読取装置には、予め定められた基準色を有する色基準板から読み取られる色基準データに基づいて画像データを補正するシェーディング補正回路が搭載される。
【０００３】
一方、画像形成装置において、印刷データについて印刷処理を実行する際に、先に基準データに基づく印刷処理を実行して、出力結果から印刷データに対する色補正に用いられる補正データを取得する技術が知られている（特許文献１参照）。
【先行技術文献】
【特許文献】
【０００４】
【特許文献１】特開平６−５５７７９号公報
【発明の概要】
【発明が解決しようとする課題】
【０００５】
ところで、画像読取装置において、色基準板から色基準データが読み取られる際には、読み取られた画像データを色基準データとして設定するような回路は駆動されるが、シェーディング補正回路及び各種の画像処理回路は駆動されない。一方、画像読取装置における原稿からの画像データの読み取り中には、シェーディング補正回路及び各種の画像処理回路が駆動される。即ち、色基準データの読み取り時と原稿の画像データの読み取り時とでは駆動する回路の数及び種別のいずれか一方又は両方が異なり、色基準データ及び原稿の画像データは画像読取装置における電源負荷が異なる状態で読み取られる。そのため、色基準データに基づいて画像データを補正するだけではシェーディング補正について高い精度が得られない場合がある。
【０００６】
本発明の目的は、シェーディング補正の精度を高めることが可能な画像読取装置及び画像形成装置を提供することにある。
【課題を解決するための手段】
【０００７】
本発明の一の局面に係る画像読取装置は、画像読取手段と、色基準データ取得手段と、シェーディング補正回路と、一又は複数の画像処理回路と、補正量変更手段とを備える。前記画像読取手段は、原稿から画像データを読み取る。前記色基準データ取得手段は、予め定められた基準色を有する色基準部材から前記画像読取手段を用いて色基準データを読み取る。前記シェーディング補正回路は、前記画像読取手段により読み取られる前記画像データを前記色基準データ取得手段により読み取られる前記色基準データに基づいて補正する。一又は複数の前記画像処理回路は、前記画像読取手段により読み取られる前記画像データについて予め定められた画像処理を実行する。前記補正量変更手段は、前記シェーディング補正回路及び前記画像処理回路のうち前記色基準データ取得手段による前記色基準データの読み取り中に同時に駆動する回路と前記シェーディング補正回路及び前記画像処理回路のうち前記画像読取手段による前記原稿からの前記画像データの読み取り中に同時に駆動する回路との回路数差及び回路種別差のいずれか一方又は両方に応じて、前記シェーディング補正回路による前記画像データの補正量を変更する。
【０００８】
本発明の他の局面に係る画像形成装置は、画像読取装置と、画像形成部とを備える。前記画像形成部は、前記画像読取装置により読み取られた画像データに基づいて画像を形成可能である。
【発明の効果】
【０００９】
本発明によれば、シェーディング補正の精度を高めることが可能である。
【図面の簡単な説明】
【００１０】
【図１】本発明の実施の形態に係る画像形成装置の構成を示す図。
【図２】本発明の実施の形態に係る画像形成装置の画像読取部の回路構成を示すブロック図。
【図３】本発明の実施の形態に係る画像形成装置のＡＳＩＣの内部構成を示すブロック図。
【図４】本発明の実施の形態に係る画像形成装置のＡＳＩＣ内部における画像データの処理過程を示す図
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
［画像形成装置１０の概略構成］
まず、図１を参照しつつ、本発明の実施の形態に係る画像形成装置１０の概略構成について説明する。図１に示すように、前記画像形成装置１０は、ＡＤＦ１、画像読取部２、画像形成部３、給紙部４、及び制御部５を備える。前記画像形成装置１０は、原稿から画像データを読み取るスキャン機能と共に、プリンター機能、ファクシミリー機能、又はコピー機能などの複数の機能を有する複合機である。また、本発明は、スキャナー、ファクシミリー装置、及びコピー機などの画像読取装置又は画像形成装置に適用可能である。
【００１３】
前記画像形成部３は、前記画像読取部２で読み取られた画像データ又は外部のパーソナルコンピューター等の情報処理装置から入力された画像データに基づいて画像形成処理（印刷処理）を実行する電子写真方式の画像形成部である。具体的に、前記画像形成部３は、図１に示すように、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９を備える。そして、前記画像形成部３では、前記給紙部４に着脱可能な給紙カセット４１から供給される用紙に以下の手順で画像が形成され、画像形成後の用紙が前記排紙トレイ３９に排出される。
【００１４】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過する際に前記定着ローラー３７で加熱されて溶融定着する。なお、前記感光体ドラム３１の表面に残存したトナーは前記クリーニング装置３６で除去される。
【００１５】
前記制御部５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部５は、前記ＲＯＭに予め記憶された各種の制御プログラムを前記ＣＰＵを用いて実行することにより前記画像形成装置１０を統括的に制御する。なお、前記制御部５は、集積回路（ＡＳＩＣ）などの電子回路で構成されたものであってもよく、前記画像形成装置１０を統括的に制御するメイン制御部とは別に設けられた制御部であってもよい。
【００１６】
前記ＡＤＦ１は、図１に示すように、原稿セット部１１、複数の搬送ローラー１２、原稿押さえ１３、及び排紙部１４を備える自動原稿搬送装置である。そして、前記ＡＤＦ１では、前記搬送ローラー１２各々が不図示のモーターで駆動されることにより、前記原稿セット部１１に載置された原稿が前記画像読取部２による画像データの読取位置を通過して前記排紙部１４まで搬送される。これにより、前記画像読取部２は、前記ＡＤＦ１により搬送される原稿から画像データを読み取ることが可能である。
【００１７】
また、前記原稿押さえ１３は、前記画像読取部２の後述の搬送読取面２１２上の読取位置の上方に原稿が通過できる間隔を隔てた位置に設けられている。前記原稿押さえ１３は、主走査方向（図１における奥行方向）に長尺状を成しており、その下面（搬送読取面２１２側の面）には白色のシート１３Ａが色基準部材として貼り付けられている。前記画像形成装置１０では、前記白色のシート１３Ａの画像データが、後述のシェーディング補正で用いられる色基準データとして読み取られる。
【００１８】
前記画像読取部２は、図１に示すように、原稿台２１、読取ユニット２２、ミラー２３〜２４、光学レンズ２５、及びＣＣＤ（Charge Coupled Device）２６を備える。
【００１９】
前記原稿台２１は、前記画像読取部２の上面に設けられており、原稿載置面２１１及び搬送読取面２１２を備える。前記原稿載置面２１１は、画像データの読取対象となる原稿が載置される透光性を有するコンタクトガラスである。前記原稿載置面２１１では、予め定められた載置基準位置に合わせて各種サイズの原稿が載置される。前記搬送読取面２１２は、前記ＡＤＦ１により搬送される原稿に対して前記読取ユニット２２から照射される光を透過する搬送読取用ガラスである。
【００２０】
前記読取ユニット２２は、光源２２１及びミラー２２２を備え、ステッピングモーター等の駆動手段を用いた不図示の移動機構によって副走査方向（図１における左右方向）へ移動可能に構成されている。そして、前記駆動手段により前記読取ユニット２２が前記副走査方向に移動されると、前記光源２２１から前記原稿台２１上に照射される光が前記副走査方向に走査される。
【００２１】
前記光源２２１は、主走査方向（図１における奥行方向）に沿って配列された多数の白色ＬＥＤを備える。そして、前記光源２２１は、前記原稿台２１の前記原稿載置面２１１又は前記搬送読取面２１２を透過させて原稿に前記主走査方向の１ライン分の白色光を照射する。前記光源２２１による光の照射位置が前記画像読取部２による画像データの読取位置であり、前記読取位置は前記読取ユニット２２の前記副走査方向の移動に伴って前記副走査方向に移動する。具体的に、前記読取ユニット２２は、前記原稿載置面２１１に載置された原稿から画像データを読み取る際には前記光源２２１の光が前記原稿載置面２１１を通過する位置に移動される。また、前記ＡＤＦ１によって搬送される原稿から画像データを読み取る際には、前記読取ユニット２２は前記光源２２１の光が前記搬送読取面２１２を通過する位置に移動される。
【００２２】
前記ミラー２２２は、前記光源２２１から照射されて前記原稿台２１上の前記読取位置にある原稿の表面で反射した後の光を前記ミラー２３に向けて反射させる。そして、前記ミラー２２２で反射した光は、前記ミラー２３〜２４によって前記光学レンズ２５に導かれる。前記光学レンズ２５は、前記ミラー２４から入射した光を集光して前記ＣＣＤ２６に入射させる。
【００２３】
前記ＣＣＤ２６は、受光した原稿からの反射光の光量に応じたアナログ信号（電圧）を出力する光電変換素子を有するイメージセンサーである。前記ＣＣＤ２６から出力された前記アナログ信号は、後述のＡＦＥ２７に入力される。
【００２４】
続いて、図２を参照しつつ、前記画像読取部２の回路構成について説明する。図２に示すように、前記画像読取部２は、上記構成に加えて更に、ＡＦＥ２７、ＡＳＩＣ２８、及びＳＤＲＡＭ２９を備える。
【００２５】
前記ＡＦＥ２７は、前記ＣＣＤ２６から出力される前記アナログ信号に基づく処理を実行する信号処理部である。具体的に、前記ＡＦＥ２７は、図２に示すように、ＣＤＳ２７１、ＡＧＣ２７２、ＡＤＣ２７３、及びＤＳＰ２７４などの電子回路を備えるアナログフロントエンド回路である。
【００２６】
前記ＣＤＳ２７１は、前記ＣＣＤ２６から入力される前記アナログ信号について、相関二重サンプリング法などに基づくノイズ除去処理を実行する。例えば、前記ＣＤＳ２７１では、前記ＣＣＤ２６から出力されるアナログ信号をビット周期でクランプするビットクランプ方式により低周波変動を除去するノイズ除去処理が実行される。前記ＣＤＳ２７１によりノイズ除去処理が施された後の前記アナログ信号は、前記ＡＧＣ２７２に入力される。
【００２７】
前記ＡＧＣ２７２は、前記ＣＤＳ２７１から入力された前記アナログ画像データを予め設定された増幅率（ゲイン）に従って増幅させるゲインコントロールアンプである。前記ＡＧＣ２７２による増幅後の前記アナログ画像データは前記ＡＤＣ２７３に入力される。
【００２８】
前記ＡＤＣ２７３は、前記ＡＧＣ２７２から入力される前記アナログ信号を、デジタル信号（以下、「画像データ」と称する）に変換するアナログデジタルコンバーターである。前記ＡＤＣ２７３から出力された前記画像データは、前記ＤＳＰ２７４に入力される。
【００２９】
前記ＤＳＰ２７４は、前記ＡＤＣ２７３から入力されるＲＧＢ形式の前記画像データをＣＭＹＫ形式の前記画像データに変換する信号変換処理などを実行する。前記ＤＳＰ２７４で信号変換処理が施された後の前記画像データは、前記ＡＳＩＣ２８に入力される。
【００３０】
このように、前記ＬＥＤ光源２２１から照射されて原稿で反射された光は、前記ミラー２２２、前記ミラー２３、前記ミラー２４、及び前記光学レンズ２５を経由して前記ＣＣＤ２６に入射され、光量に応じた前記アナログ信号に変換される。そして、前記ＣＣＤ２６から出力される前記アナログ信号が、前記ＡＦＥ２７の前記ＡＤＣ２７３によって前記画像データに変換されることで、原稿の画像データが読み取られる。ここに、前記ＬＥＤ光源２２１と前記ミラー２２２とを含む前記読取ユニット２２、前記ミラー２３、前記ミラー２４、前記光学レンズ２５、前記ＣＣＤ２６、及び前記ＡＦＥ２７が画像読取手段の一例である。
【００３１】
前記ＡＳＩＣ２８は、前記ＡＦＥ２７から入力された前記画像データに対して各種の画像処理を施す信号処理プロセッサーである。そして、前記ＡＳＩＣ２８で画像処理が施された後の前記画像データは前記ＳＤＲＡＭ２９に入力されて記録される。なお、前記ＡＳＩＣ２８の詳細については後述する。
【００３２】
前記ＳＤＲＡＭ２９は、前記画像データが記憶される画像メモリーとして用いられる記憶手段である。前記ＳＤＲＡＭ２９に対するデータの読み書きは不図示のＤＭＡＣ（ダイレクトメモリーアクセスコントローラー）等によって制御される。なお、前記ＳＤＲＡＭ２９に代えてハードディスクなどの記憶部が設けられてもよい。
【００３３】
次に、図３を参照しつつ、前記ＡＳＩＣ２８の内部構成について説明する。図３に示すように、前記ＡＳＩＣ２８は、第１画像処理回路２８１、色基準データ記憶部２８２、シェーディング補正回路２８３、第２画像処理回路２８４、第２画像処理回路２８５、第２画像処理回路２８６、及び補正量変更回路２８７を含む。
【００３４】
前記第１画像処理回路２８１は、前記画像読取部２により読み取られる前記画像データについて予め定められた画像処理を実行する第１の画像処理回路である。具体的に、前記画像形成装置１０では、前記制御部５が、前記画像読取部２を用いて前記白色のシート１３Ａから前記画像データを読み取る。そして、前記第１画像処理回路２８１は、前記画像読取部２により読み取られた前記白色のシート１３Ａに対応する前記画像データに基づいて、前記シェーディング補正回路２８３で実行されるシェーディング補正に用いられる前記色基準データを設定する。なお、前記制御部５は、例えば前記画像形成装置１０の電源が投入された場合又はスリープ状態から復帰した場合に、前記白色のシート１３Ａから前記色基準データを取得する。ここに、前記画像読取部２を用いて前記白色のシート１３Ａから前記画像データを読み取る前記制御部５が、色基準データ取得手段の一例である。
【００３５】
より具体的に、前記制御部５は、前記画像読取部２を用いて前記白色のシート１３Ａから１ライン分の前記画像データを読み取る。そして、前記第１画像処理回路２８１は、前記制御部５により読み取られた１ライン分の前記画像データを、前記色基準データとして設定する。即ち、前記画像形成装置１０において、前記色基準データは白色を示す画素１ライン分のデータとなる。例えば、前記画像データの画素の濃度が２５６階調で表現される場合であって、黒色を示す画素の濃度値が２５５、白色を示す画素の濃度値が０とされる場合には、前記色基準データの濃度値は７〜１２といった値となる。なお、前記制御部５が前記画像読取部２を用いて前記白色のシート１３Ａから複数ライン分の前記画像データを読み取り、前記第１画像処理回路２８１が前記制御部５により読み取られた前記画像データの各画素位置における平均値を算出して前記色基準データとして設定するものであってもよい。
【００３６】
前記色基準データ記憶部２８２は、前記第１画像処理回路２８１で設定された前記色基準データを記憶する、例えばＳＲＡＭ等の記憶部である。
【００３７】
前記シェーディング補正回路２８３は、前記画像読取部２により原稿から読み取られる前記画像データを前記色基準データ記憶部２８２に記憶された前記色基準データに基づいて補正する前記シェーディング補正を実行する。前記画像読取部２では、前記主走査方向における前記ＬＥＤ光源２２１の発光特性のバラつき又は前記ＣＣＤ２６の受光感度のバラつきなどが生じていることがある。この場合には、前記画像読取部２により同一濃度の画像（例えば白色画像）が読み取られた場合に、前記主走査方向における画素の画像データに読取誤差が生じるおそれがある。前記シェーディング補正は、このような前記画像読取部２における読取誤差を補正して濃度のバラつきを抑制するための画像処理である。
【００３８】
例えば、前記シェーディング補正回路２８３は、以下に示す式（１）に基づいて、読み取られた前記画像データの画素ごとに前記シェーディング補正を行う。
【００３９】
補正後の画像データの濃度値＝階調数×（読取画像データの濃度値−色基準データの濃度値）／（黒レベルの濃度値−色基準データの濃度値）・・・（１）
【００４０】
そして、前記シェーディング補正回路２８３による処理後の前記画像データは、前記第２画像処理回路２８４に入力される。ここで、式（１）における黒レベルの濃度値とは、黒色を示す画素の濃度値である。前記黒レベルの濃度値は、予め定められた固定の値を用いるものであってもよいし、前記ＡＤＦ１が閉じられ且つ前記ＬＥＤ光源２２１が消灯された状態での前記ＣＣＤ２６及び前記ＡＦＥ２７からの出力に基づいて設定されるものであってもよい。
【００４１】
前記第２画像処理回路２８４、前記第２画像処理回路２８５、及び前記第２画像処理回路２８６は、前記画像読取部２により読み取られる前記画像データについて予め定められた画像処理を実行する第２の画像処理回路である。なお、前記第１画像処理回路２８１、前記第２画像処理回路２８４、前記第２画像処理回路２８５、及び前記第２画像処理回路２８６が本発明における画像処理回路の一例であり、以下、これらを総称する場合は画像処理回路２８０という。
【００４２】
具体的に、前記第２画像処理回路２８４、前記第２画像処理回路２８５、及び前記第２画像処理回路２８６は、前記シェーディング補正回路２８３による補正後の前記画像データに予め定められた画像処理を施して出力する。ここで、前記画像処理は、例えばガンマ補正処理、回転処理、拡大縮小処理などの各種の画像処理である。例えば、前記第２画像処理回路２８４は前記ガンマ補正処理を実行し、前記第２画像処理回路２８５は前記回転処理を実行する。そして、前記第２画像処理回路２８６は、前記拡大縮小処理を実行する。なお、前記ＡＳＩＣ２８に設けられる前記画像処理を実行可能な画像処理回路の数は一又は複数であってよい。
【００４３】
以下、図４を参照しつつ、前記画像読取部２で読み取られて前記ＡＳＩＣ２８に入力された前記画像データに対する処理の流れについて説明する。なお、図４における主走査同期信号は、前記画像読取部２による１ライン分の画像データの読取周期に対応する信号である。また、図４における主走査有効区間信号各々は、前記ＡＳＩＣ２８内部の画像処理回路各々の駆動を制御するための信号である。
【００４４】
ここで説明する前記ＡＳＩＣ２８における一連の処理は、前記画像データの１ラインごとに繰り返し実行される。ここで、図４に示す入力データＤ１は、前記シェーディング補正回路２８３に入力される１ライン分の画像データを示す。同様に、図４に示す入力データＤ２、Ｄ３、及びＤ４は、前記第２画像処理回路２８４、前記第２画像処理回路２８５、及び前記第２画像処理回路２８６各々に入力される１ライン分の画像データを示す。また、図４に示す色基準データは、前記シェーディング補正回路２８３で用いられる前記色基準データを示す。
【００４５】
まず、前記ＡＳＩＣ２８に入力される前記画像データは、先頭の画素から順次、前記シェーディング補正回路２８３に入力される。前記シェーディング補正回路２８３は、入力された前記入力データＤ１について、前記シェーディング補正を実行する。ここで、前記シェーディング補正回路２８３は、前記色基準データ記憶部２８２に記憶された前記色基準データに基づいて、前記シェーディング補正を行う。そして、前記シェーディング補正回路２８３は、図４に示す時間Ｔ１の経過後、前記シェーディング補正後の前記画像データである前記入力データＤ２を先頭の画素から順次出力して、前記第２画像処理回路２８４に入力する。即ち、前記時間Ｔ１は、前記シェーディング補正回路２８３における前記画像データの１画素に対する処理時間を示す。なお、前記時間Ｔ１は、例えば前記ＡＳＩＣ２８において１画素１サイクルで処理が行われる場合には、数サイクルから十数サイクル程度に対応する時間である。
【００４６】
次に、前記第２画像処理回路２８４は、前記シェーディング補正回路２８３から入力された前記入力データＤ２について、前記ガンマ補正を実行する。そして、前記第２画像処理回路２８４は、図４に示す時間Ｔ２の経過後、前記ガンマ補正後の前記画像データである前記入力データＤ３を先頭の画素から順次出力して、前記第２画像処理回路２８５に入力する。即ち、前記時間Ｔ２は、前記第２画像処理回路２８４における前記画像データの１画素に対する処理時間を示す。ここで、前記ＡＳＩＣ２８において、前記時間Ｔ２の間は、前記シェーディング補正回路２８３及び前記第２画像処理回路２８４が同時に動作する。
【００４７】
続いて、前記第２画像処理回路２８５は、前記第２画像処理回路２８４から入力された前記入力データＤ３について、前記回転処理を実行する。そして、前記第２画像処理回路２８５は、図４に示す時間Ｔ３の経過後、前記回転処理後の前記画像データである前記入力データＤ４を先頭の画素から順次出力して、前記第２画像処理回路２８６に入力する。即ち、前記時間Ｔ３は、前記第２画像処理回路２８５における前記画像データの１画素に対する処理時間を示す。ここで、前記ＡＳＩＣ２８において、前記時間Ｔ３の間は、前記シェーディング補正回路２８３、前記第２画像処理回路２８４、及び前記第２画像処理回路２８５が同時に動作する。
【００４８】
そして、前記第２画像処理回路２８６は、前記第２画像処理回路２８５から入力された前記入力データＤ４について、前記拡大縮小処理を実行する。そして、前記第２画像処理回路２８６は、前記拡大縮小処理後の前記画像データを出力画像データとして先頭の画素から順次出力して、前記ＳＤＲＡＭ２９に入力する。ここで、前記ＡＳＩＣ２８において、前記時間Ｔ４の間は、前記シェーディング補正回路２８３、前記第２画像処理回路２８４、前記第２画像処理回路２８５、及び前記第２画像処理回路２８６が同時に動作する。
【００４９】
その後、前記第２画像処理回路２８６から前記入力データＤ４の最後の画素が出力されると、前記ＡＳＩＣ２８に次の１ライン分の前記画像データが入力されて、以上に説明した処理のサイクルが繰り返されることになる。
【００５０】
ところで、前記画像形成装置１０において、前記制御部５によって前記白色のシート１３Ａから前記色基準データが読み取られる際には、前記第１画像処理回路２８１は駆動されるが、前記シェーディング補正回路２８３、前記第２画像処理回路２８４〜２８６は駆動されない。一方、前記画像形成装置１０における前記原稿からの前記画像データの読み取り中には、前記第１画像処理回路２８１は駆動されないが、図４に示すように、前記シェーディング補正回路２８３、前記第２画像処理回路２８４〜２８６が順次駆動される。即ち、前記色基準データの読み取り時と前記原稿の前記画像データの読み取り時とでは駆動する回路の数及び種別のいずれか一方又は両方が異なり、前記色基準データ及び前記原稿の前記画像データは前記画像形成装置１０における電源負荷が異なる状態で読み取られる。そのため、前記色基準データに基づいて前記画像データを補正するだけでは前記シェーディング補正について高い精度が得られない場合がある。これに対し、前記画像形成装置１０では、前記ＡＳＩＣ２８に設けられた前記補正量変更回路２８７により、前記シェーディング補正の精度の向上が図られている。
【００５１】
次に、前記補正量変更回路２８７について説明する。前記補正量変更回路２８７は、前記シェーディング補正回路２８３及び前記画像処理回路２８０のうち前記制御部５による前記色基準データの読み取り中に同時に駆動する回路と、前記シェーディング補正回路２８３及び前記画像処理回路２８０のうち前記画像読取部２による前記原稿からの前記画像データの読み取り中に同時に駆動する回路との回路数差に応じて、前記シェーディング補正回路２８３による前記画像データの補正量を変更する。ここに、前記補正量変更回路２８７が、補正量変更手段の一例である。
【００５２】
即ち、前記画像形成装置１０において、前記原稿から前記画像データが読み取られる場合には、前記色基準データが読み取られる場合と比較して、より多くの前記画像処理回路２８０が同時に駆動されるため、電源負荷が大きくなり前記画像読取部２の出力が低下する。そのため、前記原稿の前記画像データの読み取り時に前記画像読取部２から出力される前記画像データと、前記色基準データの読み取り時に前記画像読取部２から出力される前記画像データとの間において、出力される前記画像データの濃度に差異が生じる。前記補正量変更回路２８７では、前記回路数差に応じて前記シェーディング補正回路２８３による前記画像データの補正量を変更することで、前記画像読取部２の出力の低下による前記シェーディング補正への影響が抑制される。
【００５３】
ここで、前記画像形成装置１０では、前記制御部５による前記色基準データの読み取り中は前記画像処理回路２８０のうち前記第１画像処理回路２８１が駆動し、前記画像読取部２による前記原稿からの前記画像データの読み取り中は前記シェーディング補正回路２８３及び前記画像処理回路２８０のうち前記第２画像処理回路２８４〜２８６が駆動する。そして、前記画像読取部２による前記原稿からの前記画像データの読み取り時において、前記ＡＳＩＣ２８に入力される前記画像データは、前記シェーディング補正回路２８３での処理後に、前記第２画像処理回路２８４〜２８６に入力される。即ち、前記画像形成装置１０において、前記回路数差は、前記画像読取部２による前記原稿からの前記画像データの読み取り時において前記第２画像処理回路２８４〜２８６のうち同時に駆動する回路の数を意味する。
【００５４】
また、前記画像形成装置１０では、図４に示すように、前記シェーディング補正回路２８３及び前記画像処理回路２８０のうち同時に駆動する回路が前記画像読取部２による前記原稿からの１ライン分の前記画像データの読み取り中に変化する。そして、前記補正量変更回路２８７が、前記画像読取部２による前記原稿からの１ライン分の前記画像データの読み取り中における前記回路数差の変化に応じて前記色基準データを変更可能である。そのため、前記画像形成装置１０では、前記画像読取部２により読み取られる前記画像データの最初の１ラインから、前記シェーディング補正の精度を向上させることが可能である。
【００５５】
具体的に、前記補正量変更回路２８７は、前記回路数差に応じて前記色基準データを変更することにより前記画像データの補正量を変更する。例えば、前記補正量変更回路２８７は、前記回路数差の増加に比例して、前記色基準データの変更量を増加させることが考えられる。そして、前記補正量変更回路２８７は、前記回路数差が大きくなり前記画像読取部２で読み取られる前記画像データの濃度が薄くなる場合には、前記シェーディング補正において濃度が薄くなるよう前記色基準データの変更を行う。例えば、黒色を示す画素の濃度値が２５５、白色を示す画素の濃度値が０とされる場合で、前記色基準データの濃度値が１０だとすれば、前記色基準データの濃度値を８などの値に減少させることになる。また、前記補正量変更回路２８７は、前記回路数差が大きくなり前記画像読取部２で読み取られる前記画像データの濃度が濃くなる場合には、前記シェーディング補正において濃度が濃くなるよう前記色基準データの変更を行う。例えば、黒色を示す画素の濃度値が０、白色を示す画素の濃度値が２５５とされる場合で、前記色基準データの濃度値が２４５だとすれば、前記色基準データの濃度値を２４３などの値に減少させることになる。これにより、前記画像形成装置１０の電源負荷が小さい状態で読み取られた前記色基準データに、前記画像形成装置１０の電源負荷が大きい状態で前記画像読取部２から出力される前記画像データの濃度値の低下による影響を反映させることが可能となる。
【００５６】
ところで、図４に示すように、前記画像読取部２による前記原稿からの前記画像データの読み取り中に前記第２画像処理回路２８４〜２８６のうち同時に駆動する回路の数は、前記シェーディング補正回路２８３、前記第２画像処理回路２８４、及び前記第２画像処理回路２８５各々の処理時間Ｔ１、Ｔ２、及びＴ３の経過時に増加している。そのため、前記画像読取処理の内容が特定される場合には、前記画像読取部２による前記原稿からの前記画像データの読み取り中に前記第２画像処理回路２８４〜２８６のうち同時に駆動する回路の数の増加時も特定されることになる。
【００５７】
そこで、前記画像形成装置１０では、前記画像形成装置１０で実行される前記画像読取処理の内容ごとに対応する前記回路数差が予め前記制御部５の前記ＥＥＰＲＯＭ等の記憶手段に記憶されている。ここで、前記画像読取処理の内容とは、前記ＡＳＩＣ２８で実行される前記画像処理の内容及び順序である。具体的に、前記ＥＥＰＲＯＭには、前記画像処理を実行する前記シェーディング補正回路２８３及び前記画像処理回路２８０ごとの処理時間が記憶されている。そして、前記制御部５が、前記画像読取処理の内容に応じて前記ＥＥＰＲＯＭから前記画像処理ごとの処理時間を前記補正量変更回路２８７内部のレジスタに設定することで、前記補正量変更回路２８７は前記第２画像処理回路２８４〜２８６のうち同時駆動する回路の数の増加に合わせて前記色基準データを変更することが可能である。なお、前記ＥＥＰＲＯＭに前記画像処理ごとの処理時間と前記回路数差に対応する前記色基準データの変更量とが合わせて記憶されており、前記制御部５が前記画像処理ごとの処理時間と共に前記回路数差に対応する前記色基準データの変更量とを合わせて前記補正量変更回路２８７内部のレジスタに設定するものであってもよい。これにより、前記補正量変更回路２８７において、前記第２画像処理回路２８４〜２８６のうち同時駆動する回路の数の増加時を検出する処理が不要となり、前記補正量変更回路２８７の処理内容が簡素化される。
【００５８】
このように、前記画像形成装置１０では、前記補正量変更回路２８７により、前記シェーディング補正回路２８３及び前記画像処理回路２８０のうち前記制御部５による前記色基準データの読み取り中に同時に駆動する回路と、前記シェーディング補正回路２８３及び前記画像処理回路２８０のうち前記画像読取部２による前記原稿からの前記画像データの読み取り中に同時に駆動する回路との回路数差に応じて、前記シェーディング補正回路２８３による前記画像データの補正量が変更される。そのため、シェーディング補正の精度を高めることが可能である。
【００５９】
［他の実施形態］
なお、以上に説明した実施形態と異なり、前記補正量変更回路２８７が、前記シェーディング補正回路２８３及び前記画像処理回路２８０のうち前記制御部５による前記色基準データの読み取り中に同時に駆動する回路と、前記シェーディング補正回路２８３及び前記画像処理回路２８０のうち前記画像読取部２による前記原稿からの前記画像データの読み取り中に同時に駆動する回路との回路種別差に応じて、前記シェーディング補正回路２８３による前記画像データの補正量を変更することが考えられる。また、前記補正量変更回路２８７が、前記回路数差及び前記回路種別差の両方に応じて、前記シェーディング補正回路２８３による前記画像データの補正量を変更することも考えられる。これらにより、前記回路種別差による消費電力の差異を前記シェーディング補正回路２８３による前記画像データの補正量の変更に反映させることが可能となる。
【００６０】
また、前記補正量変更回路２８３が、前記回路数差及び前記回路種別差のいずれか一方又は両方に起因する消費電力差が大きくなるほど前記色基準データの変更量を大きくすることが考えられる。これにより、前記画像読取部２の出力の低下による前記シェーディング補正への影響がより高い精度で抑制される。
【００６１】
更に、本実施の形態では、前記補正量変更回路２８７により、前記色基準データが変更されることにより、前記シェーディング補正回路２８３による前記画像データの補正量が変更される場合について説明した。一方、前記シェーディング補正回路２８３による前記画像データの補正量を変更する手法はこれに限らない。例えば、前記補正量変更回路２８７に代えて、前記シェーディング補正回路２８３が、前記色基準データに基づいて補正した後の画像データを、前記回路数差及び前記回路種別差のいずれか一方又は両方に応じて更に補正することも考えられる。この場合、前記シェーディング補正回路２８３が補正量変更手段の一例である。
【符号の説明】
【００６２】
１  ：ＡＤＦ
１３：原稿押さえ
１３Ａ：白色のシート
２  ：画像読取部
２１：原稿台
２２：読取ユニット
２２１：光源
２２２：ミラー
２３：ミラー
２４：ミラー
２５：光学レンズ
２６：ＣＣＤ
２７：ＡＦＥ
２７１：ＣＤＳ
２７２：ＡＧＣ
２７３：ＡＤＣ
２７４：ＤＳＰ
２８：ＡＳＩＣ
２８１：第１画像処理回路
２８２：色基準データ記憶部
２８３：シェーディング補正回路
２８４：第２画像処理回路
２８５：第２画像処理回路
２８６：第２画像処理回路
２８７：補正量変更回路
２９：ＳＤＲＡＭ
３  ：画像形成部
４  ：給紙部
５  ：制御部
１０：画像形成装置
【図１】
0005984856.tif 000002
【図２】
0005984856.tif 000003
【図３】
0005984856.tif 000004
【図４】
0005984856.tif 000005